(57)【特許請求の範囲】
【請求項１】
先端が上向きのフックを具備し、垂直方向に往復移動しうる係合部材と係合するための、床または壁に固着された戸当りであって、
戸当り本体と、金属製の係合部と、該係合部の外面のうち、少なくとも前記フックの前面に接触しうる部分を被覆した接触部とからなり、
該係合部が前記戸当り本体の上端部に固着され、かつ下向きに突出する縁部を有する円盤形状を呈し、該縁部が前記フックと係合し、
前記係合部の中央に開口部が形成され、当該開口部に前記戸当り本体が挿入され、前記戸当り本体の外面上部に突設された環状のリブに前記係合部が係合され、そののち前記戸当り本体の上部に環状のキャップが嵌合されてなる
ことを特徴とする戸当り。
【請求項２】
前記係合部が金属板をプレス成形することにより作製されてなる請求項１記載の戸当り。
【発明の詳細な説明】
【０００１】
【発明の属する技術分野】
本発明は戸当りに関する。さらに詳しくはドアを開放状態に固定する動作および固定を解除する操作をしゃがまずに足だけで行なう係合部材と係合するための戸当りであって、とくにフックと係合する係合部の強度を上げることにより、耐久性を大幅に向上させた戸当りに関する。
【０００２】
【従来の技術】
従来より、ドアが壁などに直接当たり、傷を付けたり、異音を発生したりしないように、ドアの全開位置付近の床または壁などに戸当りが設けられている。
【０００３】
さらに、従来の戸当りには、ドアを開放状態にしておくために止めリングが設けられたものがあり、かかる止めリングをドアにに設けられた係合対象、たとえば、鉤付きの座金などに手で係止することにより、ドアを開放状態に固定することができる。
【０００４】
しかし、戸当りの止めリングを鉤付きの座金などに係止したり、または取り外すばあいには、しゃがみこみながら手を使って止めリングの操作をする必要があり、非常に手間が掛かる。
【０００５】
そこで、本発明者らはかかる問題を解消するために、ドアを開放状態に固定する動作および固定を解除する動作をしゃがまずに足だけで容易かつ確実に行なうことができる係合部材を提案した。
【０００６】
たとえば、図３に示されるように、従来の戸当り３１は、床におけるドアＤの全開位置Ｗに設けられ、一方、前記戸当り３１に係合する係合対象として、係合部材３２がドアＤの下部端に設けられている。戸当り３１および係合部材３２は、ドアＤを全開にしたときに戸当り３１と係合部材３２とが互いに衝突するように配置されている。
【０００７】
従来の戸当り３１は、図４に示されるように、軸部３３の上端部に前記係合部材３２に直接接触して衝撃を吸収する接触部３４が固着されることにより構成されている。また、接触部３４の下面周縁から下方へ延びる係合部３５が一体成形されている。この係合部３５に対して、後述する係合部材３２のフック３６が係合することができる。一方、軸部３３の下部は、床にねじ止めされたアンカーボルトＡに螺着されている。
【０００８】
接触部３４は、前記係合部材３２に接触するため、衝撃吸収性、および耐磨耗性を有するポリアセタールなどの合成樹脂、合成ゴムまたは天然ゴムなどにより作製されている。
【０００９】
一方、前記戸当り３１に係合する係合部材３２は、図５に示されるように、前面側に先端が上向きのフック３６が設けられた係合部材本体３７と、該係合部材本体３７を上下方向に移動自在に案内するための案内部材３８と、前記係合部材本体３７に上方向の付勢力を与えるための圧縮コイルバネ３９とから構成され、さらに前記係合部材本体３７を所定の下方位置にロックするためのロック機構４０を具備したものである。４１および４２は案内部材３８をドアＤに固着させるためのネジである。前記ロック機構４０は、前記係合部材本体３７内部に回転自在に取り付けられた係止部４３ａを有する係止体４３と、前記案内部材３８内部に設けられた当接体４４および突起４５とから構成されている。
【００１０】
以上のように構成された係合部材３２は、図６〜７に示されるようにして戸当り３１と係合することができる。なお、図６〜７の縦列Ｉには図３の戸当りおよび係合部材の位置関係が時系列的に示され、縦列IIには図５の係合部材内部のロック機構の動作が時系列的に示されている。
【００１１】
まず、図６（ａ）に示されるように、通常の状態では、係合部材本体３７は、圧縮コイルバネ３９の付勢力によって所定の上方位置Ｔへ押し上げられている。このとき、フック３６の前面３６ａは、水平方向において、戸当り３１の係合部３５の下端とほぼ対向する高さに位置している。
【００１２】
ドアＤを開放状態に固定するばあいには、ドアＤを前記戸当り３１に当接するまで開放させていけば、図６（ｂ）に示されるように、戸当り３１の係合部３５が前記フック３６の傾斜した前面３６ａを滑りながら係合部材本体３７を押し下げるため、フック３６と係合部３５とが互いに係合することができる（図６（ｃ）参照）。
【００１３】
なお、フック３６と係合部３５との係合を解除するばあいには、図７（ａ）〜（ｂ）に示されるように、足Ｆで係合部材本体３７のペダル４６を押し下げれば、係止体４３の係止部４３ａが突起４５に係止されるため、係合部材本体３７は所定の下方位置Ｂ2 にロックされる。これにより、ドアＤを自由に開閉することができる。
【００１４】
さらに、再び係合部材本体３７を前記所定の上方位置Ｔに復帰させるばあいには、図７（ｃ）のように、足Ｆでもう一回ペダル４６を押し下げれば、前記係止体４３が回転し、係合部材本体３７のロックが解除される。それにより、係合部材本体３７は、再び図６（ａ）のように所定の上方位置Ｔに復帰する。
【００１５】
【発明が解決しようとする課題】
しかし、従来の戸当り３１は、係合部材３２のフック３６と係合する係合部３５が接触部３４とともに合成樹脂など、ドアの衝撃を緩衝できる程度の硬さを有する材料を用いて一体成形されているため、耐磨耗性およびせん断強度が比較的低い。したがって、係合部３５が、長期間にわたって、フック３６による集中的な係止力を受けることによって、磨耗したり、疲労するばあいがある。
【００１６】
本発明はかかる問題を解消するためになされたものであり、フックと係合する係合部の強度を上げることにより、耐久性を大幅に向上させた戸当りを提供することを目的とする。
【００１７】
【課題を解決するための手段】
本発明の戸当りは、先端が上向きのフックを具備し、垂直方向に往復移動しうる係合部材と係合するための、床または壁に固着された戸当りであって、
戸当り本体と、該戸当り本体の上部に設けられた、先端が下向きの金属製の係合部と、該係合部の外面のうち、少なくとも前記フックの前面に接触しうる部分を被覆した接触部とからなり、
該係合部が前記戸当り本体の上端部に固着され、かつ下向きに突出する縁部を有する円盤形状を呈し、
前記係合部の中央に開口部が形成され、当該開口部１３に前記戸当り本体が挿入され、前記戸当り本体の外面上部に突設された環状のリブに前記係合部が係合され、そののち前記戸当り本体の上部に環状のキャップが嵌合されてなることを特徴としている。
【００１８】
前記接触部の内面側に凸部または凹部が形成され、一方、前記接触部の凸部または凹部に対して嵌合しうるように、前記係合部の外面側に凹部または凸部が形成されてなるのが好ましい。
【００１９】
前記係合部が金属板をプレス成形することにより、作製されてなるのが好ましい。
【００２０】
本発明の戸当りは、金属製の係合部が係合部材のフックに対して係合するようになっている。したがって、従来のように合成樹脂などからなる接触部と一体成形された係合部のばあいと比較して、係合部の強度を上げることができ、その結果、耐久性を大幅に向上させることができる。
【００２１】
しかも、金属製の係合部が接触部によって被覆されているため、ドアの衝撃を吸収することができる。
【００２２】
【発明の実施の形態】
つぎに、図面を参照しながら、本発明の戸当りを詳細に説明する。図１は本発明の戸当りの一実施例を示す断面説明図および図２は本発明の戸当りの他の実施例を示す断面説明図である。
【００２３】
図１に示される本実施例の戸当り１は、図３に示される従来の戸当り３１と同様に、床におけるドアＤ（図３参照）の全開位置Ｗに設けられた状態で用いられる。戸当り１は、前記ドアＤの下部端に設けられた前記係合部材３２（図３参照）と接触してドアＤの衝撃を緩衝するとともに係合部材３２のフック３６と係合してドアＤの全開位置Ｗにおける固定を行なう。
【００２４】
図１に示される戸当り１は、戸当り本体２と、該戸当り本体２の上部に設けられた、先端が下向きの金属製の係合部３と、該係合部３の外面に設けられた接触部４とから構成されている。
【００２５】
戸当り本体２は、耐衝撃性および耐錆性を有する硬質の材料、たとえばステンレス、アルミニウム、スチール、鉄、黄銅などの金属材料などからなる円筒状部材などが用いられる。また、戸当り本体２の底部には、めねじ孔２ａが形成された取付部２ｂが設けられている。戸当り本体２の底部にめねじ孔２ａを有していることにより、戸当り本体２は床にねじ止めされたアンカーボルトＡに螺着することができる。
【００２６】
係合部３は、係合部材３２のフック３６（図３参照）と係合する部分であり、たとえば下向きに突出する縁部３ａを有する円盤形状を呈している。前記係合部材３２のフック３６が、係合部３の縁部３ａに係合することにより、前記ドアＤの全開位置Ｗにおける固定を行うことができる。係合部３は、前記戸当り本体２の上端部にカシメ、溶接、または接着などによって固着されている。
【００２７】
係合部３は、耐衝撃性および耐錆性を有する材料であって、前記フック３６と互いにこすれ合ったり、係合し合うため、充分な耐磨耗性およびせん断強度を有する金属材料で作製され、好ましくはステンレス、アルミニウム、スチール、鉄、黄銅から、とくに好ましくはステンレスから作製されている。
【００２８】
また、前記係合部３の縁部３ａの表面を、焼入れ（高周波焼入れなど）などによって部分的に表面処理を施すことにより、さらに耐磨耗性およびせん断強度を向上させてもよい。また、表面の光沢や色づけのためにメッキ処理を施すようにしてもよい。
【００２９】
なお、係合部３を前記戸当り本体２とともに一体成形してもよく、そのばあい製造が容易になるとともに戸当り１の全体の強度（衝撃、曲げなどに対する強度）が増す。
【００３０】
接触部４は、前記係合部材３２の前面、たとえばフック３６の前面３６ａにのみ接触してドアＤの衝撃を吸収する部分であり、係合後においては、前記フック３６には接触しないように配設されている。すなわち、接触部４は、前記係合部３の外面のうち、少なくとも前記フック３６の前面に接触しうる部分Ｃ、たとえば、係合部３の外面のうちの部分Ｃ、および上面の全体または一部を被覆している。
【００３１】
接触部４は、フック３６の前面３６ａに沿って当るので、衝撃が少なくスムーズにフック３６が係合部３に引っかかる点、および消音性などの条件を考慮して、前記フック３６に接触しうる部分Ｃに前記係合部３の外面を被覆するのが好ましい。
【００３２】
接触部４は、衝撃吸収性、および耐磨耗性を有する材料、たとえば、ポリアセタールなどの合成樹脂、合成ゴムまたは天然ゴムなどにより作製されている。
【００３３】
また、前記接触部４の内面側には、環状の突条５が形成され、一方、前記係合部３の外面側には、環状の溝６が形成されている。突条５を溝６に嵌合することにより、接触部４を容易でしかも堅固に係合部３の外面に固着させることができる。なお、前記接触部４の内面側に環状の溝６を形成し、一方、前記係合部３の外面側に環状の突条５を形成してもよい。
【００３４】
なお、本実施例では突条５と溝６との嵌合を例にあげて説明したが、本発明はこれに限定されるものではなく、前記係合部３の外面側および前記接触部４の内面側において、互いに嵌合しうる凹部および凸部の組を形成すれば、いかなる態様を採用することができる。たとえば、他の例として、前記係合部３の外面側および前記接触部４の内面側において、互いに嵌合しうる穴および突起の組、めねじおよびおねじの組などを採用しても、前述と同様に、接触部４を容易でしかも堅固に係合部３の外面に固着させることができる。
【００３５】
つぎに、本発明の戸当りの他の実施例を図２を参照しながら説明する。
【００３６】
図２に示される戸当り１１は、戸当り本体１２と、該戸当り本体１２の上部に設けられた、先端が下向きの金属製の係合部１３と、該係合部１３の外面のうちの少なくとも前記フック３６（図３参照）に接触する部分Ｃに設けられた接触部１４とから構成され、アンカーボルトＡを介して床に固着されている点では前述の図１の戸当り１と共通している。しかし、図２の戸当り１１は、係合部１３が金属板をプレス成形することによって、安価でしかも容易に作製されている点が異なっている。
【００３７】
係合部１３は、耐衝撃性、耐錆性、充分な耐磨耗性およびせん断強度を有するとともにプレス成形可能な材料、たとえばステンレス、スチール、アルミニウム、鉄、黄銅などの金属材料、とくに好ましくはステンレスを用いてプレス成形される。
【００３８】
また、図２の係合部１３は、中央に開口部１３ｂが形成され、かつ下向きに突出する縁部１３ａを有する円盤形状を呈している。係合部１３を戸当り本体１２に固着させるばあい、開口部１３ｂに戸当り本体１２を挿入し、戸当り本体１２の外面上部に突設された環状のリブ１２ａに係合部１３を係合し、そののち戸当り本体１２の上部に環状のキャップ１５を嵌合させる。そのとき、戸当り本体１２の上部開口１２ｂを塞ぐ蓋部材１６も戸当り本体１２に固着される。
【００３９】
また、キャップ１５の外面側には、環状のリブ１５ａが突設され、一方、接触部１４の内面側には環状の溝１４ａが形成されている。そのため、リブ１５ａと溝１４ａとを嵌合させることにより、接触部１４を戸当り本体１２の上部に固着させることができる。
【００４０】
なお、本実施例では係合部１３と蓋部材１６とが別体である例をあげて説明したが、本発明はこれに限定されるものではなく、金属板をプレス成形することにより一体成形してもよい。
【００４１】
また、図１〜２に示される戸当り１、１１はアンカーボルトＡを介して床に固着されるタイプであるが、本発明はこれに限定されるものではなく、前記戸当り１、１１をＬ字形ブラケットなどを介して壁に固着してもよい。
【００４２】
【発明の効果】
本発明によれば、金属製の係合部が係合部材のフックに対して係合するようにしたため、従来の接触部と一体成形された係合部のばあいと比較して、係合部の強度を飛躍的に向上させることができ、その結果、耐久性を大幅に向上させることができる。
【００４３】
しかも、金属製の係合部が接触部によって被覆されているため、ドアの衝撃を吸収することができる。
【図面の簡単な説明】
【図１】本発明の戸当りの一実施例を示す断面説明図である。
【図２】本発明の戸当りの他の実施例を示す断面説明図である。
【図３】従来の戸当りをドアに取り付けて使用するばあいの状態を示す斜視図である。
【図４】図３の戸当りの断面図である。
【図５】図３の係合部材の一部切欠分解斜視図である。
【図６】図３の戸当りの使用方法を示す工程図である。
【図７】図３の戸当りの使用方法を示す工程図である。
【符号の説明】
１、１１  戸当り
２、１２  戸当り本体
３、１３  係合部
４、１４  接触部
【図１】
0003805451.tif 000002
【図２】
0003805451.tif 000003
【図３】
0003805451.tif 000004
【図４】
0003805451.tif 000005
【図５】
0003805451.tif 000006
【図６】
0003805451.tif 000007
【図７】
0003805451.tif 000008